(57)【要約】      （修正有）【課題】充分な頑丈さを持ち且つフィット性とホールド性を兼ね備えた優れた軽登山靴を提供する。【解決手段】充分な強度・剛性を有する靴底２と靴本体３とからなり、靴底２は、その幅を足幅以下とし、底面形状を平面状若しくは所定滑り止め加工を施すことによる凹凸状とし、靴本体３は、布地製であって、足首を巻き込むように足の後方及び側方を覆う周覆部３ａと足の先端部から足の上方を覆う上覆部３ｂとからなり、上覆部３ｂの両側部の上方に周覆部３ａの両端部が夫々所定幅だけ重なり合うように構成されているとともに、周覆部３ａの両端部には、夫々靴紐４を通すための複数の紐掛部３ｃが備えられており、靴底２の上部に靴本体３が備え付けられている。【選択図】図１
0003164194.tif 000002
【実用新案登録請求の範囲】
【請求項１】
フィット性とホールド性を兼ね備えた軽登山靴であって、
軽登山靴として充分な強度・剛性を有する靴底と靴本体とからなり、
靴底は、その幅を足幅以下とし、底面形状を平面状若しくは所定滑り止め加工を施すことによる凹凸状とし、
靴本体は、布地製であって、足首を巻き込むように足の後方及び側方を覆う周覆部と足の先端部から足の上方を覆う上覆部とからなり、該上覆部の両側部の上方に該周覆部の両端部が夫々所定幅だけ重なり合うように構成されているとともに、該周覆部の両端部には、夫々靴紐を通すための複数の紐掛部が備えられており、
前記靴底の上部に前記靴本体が備え付けられていることを特徴とする軽登山靴。
【請求項２】
前記軽登山靴における靴底において、足の爪先部及び踵部に対応する部分を除いた中間部においてのみ、靴底の幅が足幅以下となっていることを特徴とする請求項１に記載の軽登山靴。
【請求項３】
前記軽登山靴における靴本体において、前記周覆部の足首周囲の高さが、足の踝直下位置から脚のスネ下方位置までの任意の高さであることを特徴とする請求項１または請求項２に記載の軽登山靴。
【考案の詳細な説明】
【技術分野】
【０００１】
本考案は、靴に関し、詳しくは、山間・山岳部をハイキングしたり日帰り登山といった軽登山をする者向けの軽登山靴に関するものである。
【背景技術】
【０００２】
従来より、登山者といわれる人の大勢は、ハイキング・日帰り登山を中心とする軽登山者である。さらに最近の軽登山事情として、登山ガイドブックにある登山道を歩くのみならず、複数の登山道を自由につないでの長距離踏破登山や道の無い藪山歩きなどを行う人も増えつつある。
【０００３】
しかしながら、かかる軽登山に履く登山靴は、雪山での重装備を前提とした重登山靴をベースに考え造られており、靴本体部分は布・合成皮・プラスチック等の積層により硬くできている。そのため、靴紐で靴本体を絞っても、足全体を均一に包み込むようなフィット性を得るまでに絞ることは困難である。さらに、靴底の幅は、靴下を着用した時の足幅より広く設定されているため、山腹を等高線沿いに歩くトラバース時には靴と足が遊離し、ホールド性が確保されないこともある。以上の結果として、足と靴との完全なフィット性・ホールド性は期待できず、マメの発生・爪の損傷につながり、軽登山には不向きなものであった。
【０００４】
このように、現在市販されている軽登山靴は、靴本体は硬く、靴底の幅も広く、何ら重登山靴と変わるところがない。したがって、上述したホールド性やフィット性は、靴の中に入れる中敷等で調整し改造するしかなく、根本的な問題は何ら解決されるものではなかった。
【０００５】
ある程度の登山経験を持つ人の中には、上記のような多くの問題から、従来の重登山靴・軽登山靴では満足できずにおり、ホールド性・フィット性に優れた街歩き用スニーカーや地下足袋を履いて、軽登山を試みる人も見られる。
しかしながら、かかるホールド性・フィット性に優れているというのみでスニーカーや地下足袋を履いて登山した場合、長いガレ場歩きでは靴底の材質不適正から直ぐに磨り減って使い物にならなくなったり、また、藪の中では靴底の強度及び厚さ不足から笹の切先や落枝を踏み抜く危険性もあった。
さらに、藪の中の歩行では、靴本体の薄い布地を見えない落枝に引っ掛け裂いてしまい、１〜２回の使用で靴自体が使用不可となり、経済的ロスも大きい。
したがって、軽登山用として充分な頑丈さを持ち且つホールド性・フィット性に優れた、新しい発想の軽登山靴が待望されるところである。
【０００６】
【特許文献１】特開平８−４７４０１号公報
【特許文献２】実開平３−１２２７０５号公報
【特許文献３】登録実用新案第３１０６４５６号公報
【考案の開示】
【考案が解決しようとする課題】
【０００７】
そこで、本考案は、上記事情に鑑みてなされたものであり、軽登山用として充分な頑丈さを持ち且つフィット性とホールド性を兼ね備えた優れた軽登山靴を提供することを課題としている。
【課題を解決するための手段】
【０００８】
このような課題を解決するために、本考案に係る軽登山靴は、フィット性とホールド性を兼ね備えた軽登山靴であって、軽登山靴として充分な強度・剛性を有する靴底と靴本体とからなり、靴底は、その幅を足幅以下として、底面形状を平面状若しくは所定滑り止め加工を施すことによる凹凸状とし、靴本体は、布地製であって、足首を巻き込むように足の後方及び側方を覆う周覆部と足の先端部から足の上方を覆う上覆部とからなり、該上覆部の両側部の上方に該周覆部の両端部が夫々所定幅だけ重なり合うように構成されているとともに、該周覆部の両端部には、夫々靴紐を通すための複数の紐掛部が備えられており、前記靴底の上部に前記靴本体が備え付けられている構成としている。
【０００９】
また、本考案に係る軽登山靴においては、前記軽登山靴における靴底において、足の爪先部及び踵部に対応する部分を除いた中間部（甲部）においてのみ、靴底の幅が足幅以下となっている構成を採用し得る。
【００１０】
さらに、本考案に係る軽登山靴においては、前記靴本体における前記周覆部の足首周囲の高さが、足の踝直下位置から脚のスネ下方位置までの任意の高さで構成してもよい。
【考案の効果】
【００１１】
本考案に係る軽登山靴によれば、靴本体を布地製とすることで、該靴本体の柔軟性を向上させ、靴紐による絞りが容易に可能であり、足と靴とのフィット性向上に資する。
また、靴底の幅を足幅より狭くすることで、靴紐による絞りがより効果的となり、靴と足との一体化すなわちホールド性向上に資する。
さらには、靴底については、耐摩耗性及び耐踏み抜き性を考慮した材質及び厚さとすることで、軽登山に充分な強度を備えた軽登山靴を提供することが可能となる。
【考案を実施するための最良の形態】
【００１２】
以下、本考案に係る軽登山靴１の実施形態について、図面を参照しながら説明する。
なお、本考案は、その構造や形状・材質等において、下記の実施形態に特に限定されることなく、本考案の要旨に逸脱しない範囲で任意に変更することができる。
【００１３】
図１は、本考案に係る軽登山靴１の実施形態を示す斜視図であり、また、図２は、本考案に係る軽登山靴１の実施形態を示す断面図である。
すなわち、本考案に係る軽登山靴１は、図1及び図２に示すように、靴底２と、靴本体３と、から構成されている。
【００１４】
靴底２は、図２（ｂ）に示すように、その幅ｈ１について、足幅ｈ２以下に構成されている。靴底２の幅ｈ１（靴幅）を足幅ｈ２より狭くすることで、靴紐４による絞りがより効果的となり、靴１と足Ｌとが一体化され、ホールド性が向上されることとなる。
【００１５】
このように、靴幅ｈ１を足幅ｈ２より狭くする態様にあって、靴本体３は、靴底２上部において足Ｌを包み込むべく靴幅ｈ１より外側に膨らんだ状態となる。
このとき、足の爪先部ｒ１及び踵部ｒ３に対応する部分を除いた中間部ｒ２（甲部）においてのみ、該靴幅ｈ１が足幅ｈ２以下となっている態様が考え得る。すなわち、爪先部ｒ１に対応する靴幅ｈ１が足幅ｈ２より狭いと、靴紐４で絞った際に足指が重なりあってしまう可能性があり、また、踵部ｒ３に対応する靴幅ｈ１が足幅ｈ２より狭いと、挿入した足Ｌの安定性が失われる可能性があり、さらには、甲部ｒ２に対応する靴幅ｈ１のみ足幅ｈ２より狭い態様で、靴１と足Ｌとのホールド性を図ることが充分可能である。
【００１６】
該靴底２の底面形状については、平面状であるか、若しくは、凹凸状となっている。すなわち、凹凸状については、一般的な滑り止め加工を施すことにより形成される形状である。
【００１７】
なお、該靴底２の材質については、ゴムその他合成樹脂等、種々の材質が考えられ、特に限定するものではないが、ガレ場や藪中等を歩く軽登山用という趣旨から、ある程度の強度・剛性を有するものが望ましい。
【００１８】
そしてまた、該靴底２の底厚Ｈについても、特に限定はなく、任意に決定される。
このとき、かかる靴底２の底厚Ｈについて、箇所により変更する態様が考え得る。すなわち、図２（ａ）に示すように、一番磨り減り易い踵部分の底厚Ｈについて、他の部分（爪先部分等）よりも厚く構成する態様などが考えられる。また、その他の態様として、土踏まず部分の底厚Ｈを減らす態様なども考え得る。
【００１９】
靴本体３は、その全体を布地により構成されている。ただし、本考案で使用する布地について、藪中を歩いたりする軽登山用という趣旨から、ある程度の強度・剛性を有するものが望ましく、例えばジーンズ地や帆布地、テント地などの強化された合成繊維製とすることが考え得る。
【００２０】
該靴本体３は、全体で布地２枚乃至３枚から構成されている。すなわち、足首を巻き込むように足の後方及び側方を覆う周覆部３ａと、足Ｌの先端部から足Ｌの上方を覆う上覆部３ｂと、から構成されている。該周覆部３ａについては、布地を踵部分で分割して２枚構成とすることも可能であり、あるいは全体を布地１枚により構成することも可能である。また、上覆部３ｂについては布地１枚による構成となっている。
【００２１】
そして、前記周覆部３ａの両端部と前記上覆部３ｂの両側部とは、夫々所定幅だけ重なり合うように構成されている。具体的には、該上覆部３ｂの両側部の上方に、該周覆部３ａの両端部が夫々所定幅だけ重なり合っている。
【００２２】
なお、前記周覆部３ａの足首周囲の高さについては、特に限定するものではなく、足Ｌの踝直下位置から脚のスネ下方位置までの任意の高さに決定される。すなわち、いわゆる図１（ａ）に示すようなローカット仕様や、図１（ｂ）に示すようなハイカット仕様など、種々の構成が考え得る。
【００２３】
前記周覆部３ａの両端部には、その端辺に沿って、夫々靴紐４を通すための複数の紐掛部３ｃが備えられている。該紐掛部３ｃには、足Ｌを挿入した状態で靴本体３を絞るための靴紐４が通される。かかる紐掛部３ｃの構造について、特に限定はなく、例えば、靴紐４を貫通させる孔状であったり、あるいは、図１で示すような靴紐４を引っ掛けるフック状等が考え得る。
【００２４】
以上の通り、本考案に係る各構成要素である靴底２及び靴本体３は、該靴底２の上部に該靴本体３が接着等により備え付けられることで完成する。靴底２への靴本体３の備え付け手段については、特に限定するものではなく、接着剤等を使用した接着による手段や、縫い紐等での縫い着けによる手段など、定法によればよい。
【産業上の利用可能性】
【００２５】
本考案に係る軽登山靴１は、登山用の靴の分野において、従来の軽登山靴では重装備過ぎであり、また、スニーカーでは軽装過ぎであって、軽登山にいずれも不向きであったところ、今まで存在しなかった登山靴とスニーカーとの中間的な靴として、登山者の大半を占める軽登山者のニーズに適うものであり、さらには、軽登山だけでなく山菜取りや山作業用などといった足場の悪い場所で使用する場合にも効果を発揮するものであって、本考案の産業上の利用可能性は大である。
【図面の簡単な説明】
【００２６】
【図１】本考案に係る軽登山靴の実施形態を示す斜視図である。
【図２】本考案に係る軽登山靴の実施形態を示す断面図である。
【符号の説明】
【００２７】
１    軽登山靴
２    靴底
３    靴本体
３ａ  周覆部
３ｂ  上覆部
３ｃ  紐掛部
４    靴紐
Ｈ    底厚
ｈ１  靴幅
ｈ２  足幅
Ｌ    足
ｒ１  爪先部
ｒ２  中間部（甲部）
ｒ３  踵部
【図１】
0003164194.tif 000003
【図２】
0003164194.tif 000004